(57)【要約】【課題】乾燥時間の短縮と乾燥効率の向上を可能とする洗濯乾燥機を提供する。【解決手段】この洗濯乾燥機では、除湿ロータ５０において除湿剤が水分を吸着することによって乾燥用空気が除湿されるので、より低湿な乾燥用空気で回転槽５内の洗濯物を乾燥できるとともに、除湿剤の水分吸着に伴う発熱および凝縮機２２における加熱により乾燥用空気の温度を高める。また、凝縮器２２において加熱される再生用空気を利用して、除湿剤から水分を脱着させて除湿剤の水分吸着能力を再生させる。よって、エネルギー効率よく乾燥用空気を加熱および除湿できるため、乾燥時間を短縮することができ、また乾燥効率を向上することができる。【選択図】図５
2008035958.tif 000002
【特許請求の範囲】
【請求項１】
外箱と、
前記外箱内に設けられる水槽と、
前記水槽内に設けられる回転槽と、
圧縮機と凝縮器と蒸発器とを連結して構成され、前記圧縮機と前記凝縮器と前記蒸発器とに順次冷媒を循環させる熱交換回路と、
水分を吸脱着可能な除湿剤を含む除湿ロータと、
前記回転槽内へ乾燥用空気を送風する乾燥経路と、
前記除湿ロータへ再生用空気を送風する再生経路とを備え、
前記冷媒は、前記圧縮機において圧縮され、前記凝縮器において周囲に放熱し冷却され、前記蒸発器において周囲から吸熱し加熱されるものであって、
前記乾燥経路は、乾燥用送風機を含み、前記除湿ロータと前記凝縮器と前記回転槽と前記蒸発器とを連結して構成され、
前記乾燥用送風機は、前記除湿ロータと前記凝縮器と前記回転槽と前記蒸発器とに順に前記乾燥用空気を送風し、
前記乾燥用空気は、前記除湿ロータにおいて前記乾燥用空気が含む水分を前記除湿剤が吸着することによって除湿され、前記凝縮器において前記冷媒から吸熱して加熱され、前記蒸発器において前記冷媒に吸熱されて冷却されることによって除湿され、
前記再生経路は、再生用送風機を含み、前記凝縮器と前記除湿ロータとを連結して構成され、
前記再生用送風機は、前記凝縮器と前記除湿ロータとに順に前記再生用空気を送風し、
前記再生用空気は、前記凝縮器において前記冷媒から吸熱して加熱され、前記除湿ロータにおいて前記除湿剤から水分を脱着させて前記除湿剤の水分吸着能力を再生させる、洗濯乾燥機。
【請求項２】
前記乾燥経路は、前記蒸発器と前記除湿ロータとを連結する乾燥循環経路を含み、
前記蒸発器において除湿される前記乾燥用空気は、前記乾燥循環経路を介して前記除湿ロータへ送風される、請求項１に記載の洗濯乾燥機。
【請求項３】
前記凝縮器は、複数の凝縮部を有し、
前記乾燥経路は、前記除湿ロータと前記複数の凝縮部のうちの一の凝縮部と前記回転槽と前記蒸発器とを連結して構成され、
前記再生経路は、前記複数の凝縮部のうちの他の凝縮部と前記除湿ロータとを連結して構成される、請求項１または請求項２に記載の洗濯乾燥機。
【請求項４】
前記熱交換回路において、前記冷媒は、前記一の凝縮部、前記他の凝縮部の順に流れる、請求項３に記載の洗濯乾燥機。
【請求項５】
前記再生経路は、前記凝縮器と前記除湿ロータと前記蒸発器とを連結して構成され、
前記再生用送風機は、前記凝縮器と前記除湿ロータと前記蒸発器とに順に前記再生用空気を送風し、
前記再生用空気は、前記凝縮器において前記冷媒から吸熱して加熱され、前記除湿ロータにおいて前記除湿剤から水分を脱着させて前記除湿剤の水分吸着能力を再生させ、前記蒸発器において前記冷媒に吸熱されて冷却されることによって除湿される、請求項１から請求項４のいずれかに記載の洗濯乾燥機。
【請求項６】
前記再生経路は、前記蒸発器と前記凝縮器とを連結する再生循環経路を含み、
前記蒸発器において除湿される前記再生用空気は、前記再生循環経路を介して前記凝縮器へ送風される、請求項５に記載の洗濯乾燥機。
【請求項７】
前記蒸発器は、複数の蒸発部を有し、
前記乾燥経路は、前記除湿ロータと前記凝縮器と前記回転槽と前記複数の蒸発部のうちの一の蒸発部とを連結して構成され、
前記再生経路は、前記凝縮器と前記除湿ロータと前記複数の蒸発部のうちの他の蒸発部とを連結して構成される、請求項５または請求項６に記載の洗濯乾燥機。
【請求項８】
前記熱交換回路において、前記冷媒は、前記他の蒸発部、前記一の蒸発部の順に流れる、請求項７に記載の洗濯乾燥機。
【発明の詳細な説明】
【技術分野】
【０００１】
この発明は、洗濯乾燥機に関し、特に、乾燥時間の短縮と乾燥効率の向上を可能とする洗濯乾燥機に関する。
【背景技術】
【０００２】
洗濯乾燥機は、回転槽を低速で回転させる洗い工程およびすすぎ工程、ならびに高速で回転させる脱水工程から成る洗濯工程だけでなく、それに加えて乾燥工程までを行なうものである。近年は回転槽の回転軸が横型の洗濯乾燥機だけでなく、縦型の洗濯乾燥機も多数商品化されている。
【０００３】
このような洗濯乾燥機において、従来、コンプレッサ、エバポレータ、コンデンサなどを備えたヒートポンプ方式を使用しているものが提案されている。
【特許文献１】特開昭６４−３２８９３号公報
【発明の開示】
【発明が解決しようとする課題】
【０００４】
しかしながら、洗濯乾燥機にはさらなる乾燥時間の短縮と乾燥効率の向上が求められており、従来の洗濯乾燥機では必ずしも十分とはいえず更なる改良の余地がある。
【０００５】
それゆえに、この発明の目的は、乾燥時間の短縮と乾燥効率の向上を可能とする洗濯乾燥機を提供することである。
【課題を解決するための手段】
【０００６】
この発明に係る洗濯乾燥機は、外箱と、外箱内に設けられる水槽と、水槽内に設けられる回転槽とを備える。また、圧縮機と凝縮器と蒸発器とを連結して構成される熱交換回路を備える。熱交換回路においては、圧縮機と凝縮器と蒸発器とに順次冷媒を循環させる。熱交換回路を循環する冷媒は、圧縮機において圧縮され、凝縮器において周囲に放熱し冷却され、蒸発器において周囲から吸熱し加熱される。
【０００７】
また、洗濯乾燥機は、水分を吸脱着可能な除湿剤を含む除湿ロータと、回転槽内へ乾燥用空気を送風する乾燥経路と、除湿ロータへ再生用空気を送風する再生経路とを備える。そして、乾燥経路は、乾燥用送風機を含み、除湿ロータと凝縮器と回転槽と蒸発器とを連結して構成される。乾燥用送風機は、除湿ロータと凝縮器と回転槽と蒸発器とに順に乾燥用空気を送風する。乾燥用空気は、除湿ロータにおいて乾燥用空気が含む水分を除湿剤が吸着することによって除湿され、凝縮器において冷媒から吸熱して加熱され、蒸発器において冷媒に吸熱されて冷却されることによって除湿される。さらに、再生経路は、再生用送風機を含み、凝縮器と除湿ロータとを連結して構成される。再生用送風機は、凝縮器と除湿ロータとに順に再生用空気を送風する。再生用空気は、凝縮器において冷媒から吸熱して加熱され、除湿ロータにおいて除湿剤から水分を脱着させて除湿剤の水分吸着能力を再生させる。
【０００８】
この場合は、除湿ロータにおいて除湿剤が水分を吸着することによって乾燥用空気が除湿されるので、より低湿な乾燥用空気で回転槽内の洗濯物を乾燥できるとともに、除湿剤の水分吸着に伴う発熱および凝縮機における加熱により乾燥用空気の温度を高める。また、凝縮器において加熱される再生用空気を利用して、除湿剤から水分を脱着、すなわち除湿剤が吸着している水分を脱離させて除去して、除湿剤の水分吸着能力を再生させる。よって、エネルギー効率よく乾燥用空気を加熱および除湿できるため、乾燥時間を短縮することができ、また乾燥効率を向上することができる。
【０００９】
好ましくは、乾燥経路は、蒸発器と除湿ロータとを連結する乾燥循環経路を含む。そして、蒸発器において除湿される乾燥用空気は、乾燥循環経路を介して除湿ロータへ送風される。
【００１０】
この場合は、乾燥用空気を洗濯乾燥機外へ排出せず、乾燥経路内を循環させて乾燥運転を行なう。これにより、洗濯乾燥機外の温度や湿度環境に大きな影響を与えることなく乾燥運転することができる。
【００１１】
また好ましくは、凝縮器は、複数の凝縮部を有する。そして乾燥経路は、除湿ロータと、複数の凝縮部のうちの一の凝縮部と、回転槽と、蒸発器とを連結して構成される。また再生経路は、複数の凝縮部のうちの他の凝縮部と、除湿ロータとを連結して構成される。
【００１２】
この場合は、乾燥経路における乾燥用空気の加熱を、複数の凝縮部のうちの一の凝縮部で行なうとともに、除湿剤の水分吸着能力を再生させる再生用空気の加熱のための熱源として、複数の凝縮部のうちの他の凝縮部を再生経路に配する。凝縮器を一体とせず、一の凝縮部と他の凝縮部とを分離し、それぞれを乾燥経路と再生経路とに配することにより、乾燥経路と再生経路との間の熱漏洩を抑制することができる。
【００１３】
また好ましくは、熱交換回路において、冷媒は、一の凝縮部、他の凝縮部の順に流れる。この場合は、先に冷媒が流れる一の凝縮部が乾燥経路に配されることにより、回転槽へ流入する乾燥用空気の温度をより高めることができる。
【００１４】
また好ましくは、再生経路は、凝縮器と除湿ロータと蒸発器とを連結して構成される。再生用送風機は、凝縮器と除湿ロータと蒸発器とに順に再生用空気を送風する。そして、再生用空気は、凝縮器において冷媒から吸熱して加熱され、除湿ロータにおいて除湿剤から水分を脱着させて除湿剤の水分吸着能力を再生させ、蒸発器において冷媒に吸熱されて冷却されることによって除湿される。
【００１５】
この場合は、再生経路は蒸発器を加えて構成される。そして、除湿ロータにおいて除湿剤から水分を脱着させるときに吸湿する再生用空気が、蒸発器において冷却されて除湿される。これにより、乾燥経路において回転槽を通過し吸湿する乾燥用空気だけでなく、再生経路において除湿ロータを通過し吸湿する再生用空気をも、蒸発器において冷却することによって、効率よく除湿することができる。
【００１６】
また好ましくは、再生経路は、蒸発器と凝縮器とを連結する再生循環経路を含む。そして、蒸発器において除湿される再生用空気は、再生循環経路を介して凝縮器へ送風される。この場合は、再生用空気を洗濯乾燥機外へ排出せず、再生経路内を循環させて乾燥運転を行なう。これにより、洗濯乾燥機外の温度や湿度環境に大きな影響を与えることなく乾燥運転することができる。
【００１７】
また好ましくは、蒸発器は、複数の蒸発部を有する。そして乾燥経路は、除湿ロータと、凝縮器と、回転槽と、複数の蒸発部のうちの一の蒸発部とを連結して構成される。また再生経路は、凝縮器と、除湿ロータと、複数の蒸発部のうちの他の蒸発部とを連結して構成される。
【００１８】
この場合は、乾燥経路における乾燥用空気の除湿を、複数の蒸発部のうちの一の蒸発部で行なうとともに、除湿ロータにおいて除湿剤から水分を脱着させるときに吸湿する再生用空気が、冷却されて除湿されるための冷熱源として、複数の蒸発部のうちの他の蒸発部を再生経路に配する。蒸発器を一体とせず、一の蒸発部と他の蒸発部とを分離し、それぞれを乾燥経路と再生経路とに配することにより、乾燥経路と再生経路との間の熱漏洩を抑制することができる。
【００１９】
また好ましくは、熱交換回路において、冷媒は、他の蒸発部、一の蒸発部の順に流れる。この場合は、先に冷媒が流れる他の蒸発部が再生経路に配されることにより、再生用空気の除湿を十分行なうことができ、高湿の空気が機外へ排出されることを防止できる。
【発明の効果】
【００２０】
以上のように、この発明に係る洗濯乾燥機では、除湿ロータにおいて除湿剤が水分を吸着することによって乾燥用空気が除湿されるので、より低湿な乾燥用空気で回転槽内の洗濯物を乾燥できるとともに、除湿剤の水分吸着に伴う発熱および凝縮機における加熱により乾燥用空気の温度を高める。また、凝縮器において加熱される再生用空気を利用して、除湿剤から水分を脱着させて除湿剤の水分吸着能力を再生させる。よって、エネルギー効率よく乾燥用空気を加熱および除湿できるため、乾燥時間を短縮することができ、また乾燥効率を向上することができる。
【発明を実施するための最良の形態】
【００２１】
以下、図面に基づいてこの発明の実施の形態を説明する。なお、以下の図面において同一または相当する部分には同一の参照番号を付しその説明は繰返さない。
【００２２】
（実施の形態１）
図１は、この発明の実施の形態１の洗濯乾燥機の、乾燥経路側の縦断面模式図である。図１において、この洗濯乾燥機は、外箱１にて外観が構成される。外箱１の前面（図１の左側）には、外箱開口部１ａが形成される。外箱開口部１ａには、扉２が開閉可能に設けられる。外箱１の内部には、水槽３が設けられる。水槽３には、外箱開口部１ａに対向するように水槽開口部３ａが形成される。水槽３は、水槽開口部３ａ側（図１の左側）が、底面側（図１の右側）に対して高くなるように、その底面側の中央部から水槽開口部３ａへ向かう中心軸が水平面に対して１５°程度傾斜して配される。外箱開口部１ａと水槽開口部３ａとは、可撓性を有するドアパッキン４によって水密に接続される。なお、水槽開口部３ａは開閉可能に接続される図示しない内扉によって水密され、外箱開口部１ａと分離される構造としてもよい。
【００２３】
水槽３の内部には、回転槽５が設けられる。回転槽５には、水槽開口部３ａに対向するように回転槽開口部５ａが形成される。扉２が開状態において、外箱開口部１ａと水槽開口部３ａと回転槽開口部５ａとを介して、回転槽５の内部に洗濯物の出し入れが可能となる。回転槽５は、回転槽開口部５ａ側（図１の左側）が、底面側（図１の右側）に対して高くなるように、その回転のときの中心軸（回転軸）が水平面に対して１５°程度傾斜して配される。水槽３および回転槽５の傾斜によって、回転槽５の内部の観察が容易になり、また洗濯物の出し入れが容易になる。また、回転槽５の底面中央部には、回転軸５ｂの一端が接続され、回転槽５は水槽３に回転可能に支持される。回転軸５ｂの他端には電動機６が取り付けられ、図示しない制御部の制御にしたがって回転槽５を回転駆動させる。また、回転槽開口部５ａの周囲には、内部に塩水などの液体が封入された環状の液体バランサー７が取り付けられる。液体バランサー７は、回転槽５を高速回転させるときに、その振動を抑制する働きをする。
【００２４】
水槽３の底面側下方には、水槽３内に供給される洗濯水を水槽３外へ排出する経路である、排水パイプ８の一端が接続される。排水パイプ８の他端側には、水槽３より排水される洗濯水の糸屑やボタンなどを捕集する、排水フィルタ９が配される。排水フィルタ９の下部には、糸屑やボタンなどが捕集された洗濯水を機外へと排出する経路である、排水ホース１０が接続される。排水ホース１０はその経路途中に排水弁１１を有し、排水弁１１の開閉により水槽３からの排水、または水槽３への貯水を制御する。また、排水パイプ８には、導圧管１２の一端が接続される。導圧管１２の他端には水位センサ１３が接続される。水位センサ１３は、水槽３内の水位を検知する。
【００２５】
外箱１の内側には、回転槽５内へ乾燥用空気を送風し、回転槽５に投入された洗濯物を乾燥させる、乾燥経路３０が備えられる。乾燥経路３０は、乾燥用空気入口３２および乾燥用空気出口３３を介して回転槽５を連結して構成され、回転槽５の内部へ乾燥用空気を循環供給する。すなわち、図１において乾燥経路３０は、水分を吸脱着可能な除湿剤を含む除湿ロータ５０と、凝縮部２２ａと、回転槽５と、蒸発部２３ｂとを連結して構成される。乾燥経路３０において、除湿ロータ５０と凝縮部２２ａとの間に、乾燥用送風機３１が設けられる。乾燥用送風機３１は、除湿ロータ５０と、凝縮部２２ａと、回転槽５と、蒸発部２３ｂとに順に乾燥用空気を送風する。
【００２６】
以下、乾燥経路３０における乾燥用空気の流れを説明する。乾燥用空気は、矢印３５ｄに示すように、回転槽５から乾燥用空気入口３２を介して蒸発部２３ｂへ送風される。蒸発部２３ｂにおいて、乾燥用空気は、後述する熱交換回路を循環する冷媒に吸熱されて冷却されることによって除湿される。蒸発部２３ｂにおいて冷却された乾燥用空気は、矢印３５ｆに示すように、除湿ロータ５０へ送風される。除湿ロータ５０において、乾燥用空気は、乾燥用空気が含む水分を除湿剤が吸着することによって除湿されるとともに、除湿剤の水分吸着に伴う発熱によって加熱される。除湿ロータ５０を通過した乾燥用空気は、矢印３５ｂに示すように、乾燥経路３０の気流源である乾燥用送風機３１を介して凝縮部２２ａへ送風される。凝縮部２２ａにおいて、乾燥用空気は、冷媒から吸熱して加熱される。凝縮部２２ａを通過した乾燥用空気は、乾燥用空気出口３３を介して回転槽５内へと送風される。このように回転槽５の内部へ乾燥用空気を循環供給することにより、洗濯物の乾燥を進行させる。なお、乾燥用送風機３１の配置位置は、乾燥経路３０内であれば、除湿ロータ５０と凝縮部２２ａとの間に限られない。たとえば、蒸発部２３ｂと除湿ロータ５０との間に乾燥用送風機３１を配置してもよい。
【００２７】
図２は、図１に示す洗濯乾燥機の、再生経路側の縦断面模式図である。図２において、水槽３の周面上方（図２の上側）には、除湿ロータ５０へ再生用空気を送風し、除湿剤から水分を脱着させて除湿剤の水分吸着能力を再生させる、再生経路４０が備えられる。図２において再生経路４０は、凝縮部２２ｂと、除湿ロータ５０と、蒸発部２３ａとを連結して構成される。再生経路４０において、凝縮部２２ｂと除湿ロータ５０との間に、再生用送風機４１が設けられる。再生用送風機４１は、凝縮部２２ｂと、除湿ロータ５０と、蒸発部２３ａとに順に乾燥用空気を送風する。また再生経路４０は、外箱１の前面（図２の左側）に形成される再生用空気取入口４２と、外箱１の背面（図２の右側）に形成される再生用空気出口４３とを介して、機外に連通する。再生用空気取入口４２には、再生経路４０への塵埃の侵入を防止する空気フィルタ４４が、着脱自在に設置される。
【００２８】
以下、再生経路４０における再生用空気の流れを説明する。再生用空気は、矢印４５ａに示すように、機外から再生用空気取入口４２を介して再生経路４０へ流入し、凝縮部２２ｂへ送風される。凝縮部２２ｂにおいて、再生用空気は、冷媒から吸熱して加熱される。凝縮部２２ｂにおいて加熱された再生用空気は、矢印４５ｂに示すように、再生経路４０の気流源である再生用送風機４１を介して除湿ロータ５０へ送風される。除湿ロータ５０において、再生用空気は、除湿剤から水分を脱着させて除湿剤の水分吸着能力を再生させる。除湿ロータ５０を通過した再生用空気は、矢印４５ｄに示すように、蒸発部２３ａへ送風される。蒸発部２３ａにおいて、再生用空気は、冷媒に吸熱されて冷却されることによって除湿される。冷却され除湿された再生用空気は、矢印４５ｅに示すように、再生用空気出口４３を介して機外へ排出される。なお、再生用送風機４１の配置位置は、再生経路４０内であれば、凝縮部２２ｂと除湿ロータ５０との間に限られない。たとえば、再生用空気取入口４２と凝縮部２２ｂとの間に再生用送風機４１を配置してもよい。
【００２９】
次に、除湿ロータ５０の動作について説明する。図３は、図１に示す洗濯乾燥機の、乾燥経路および再生経路の横断面模式図である。図３において、除湿ロータ５０は、乾燥経路３０と再生経路４０との双方に渡って配置される。図示しないロータ駆動機構は、除湿ロータ５０を、たとえば１回転／分の回転速度で、回転させる。乾燥経路３０において乾燥用空気が含む水分を吸着した除湿剤を保持する除湿ロータ５０の一部分が、除湿ロータ５０の回転によって再生経路４０側に配される。そして、再生経路４０において、再生用空気が、除湿ロータ５０の当該部分の水分を吸着した除湿剤から水分を脱着させて、除湿剤の水分吸着能力を再生させる。さらに除湿ロータ５０の回転によって、除湿ロータ５０の当該部分は再度乾燥経路３０側に配され、乾燥用空気が含む水分を吸着する。このような動作が繰り返されて、洗濯物の乾燥が進行する。なお、除湿ロータ５０は、たとえばハニカム形状など、円筒形状に成形した内側に軸方向の通風孔を有する素材を用い、上記素材に除湿剤をたとえばコートし添着させて作製したものを用いることができる。素材の形状は、円筒形状に成形した内側に板状のエレメントを軸方向に並行に配列させてもよい。また、円筒形状の内側を小部屋に区切るように成形し、各小部屋に除湿剤を充填したものを用いることもできる。除湿剤としては、たとえばシリカゲル、ゼオライト、活性炭または活性アルミナなどを用いることができる。
【００３０】
次に、熱交換回路について説明する。図４は、図１に示す洗濯乾燥機の、熱交換回路のブロック図である。図４において、熱交換回路２０は、圧縮機２１と、凝縮器２２と、たとえば絞り弁や毛細管などからなる図示しない減圧器と、蒸発器２３とを連結して構成される。圧縮機２１と凝縮器２２とは冷媒経路２４ａによって連通される。凝縮器２２と蒸発器２３とは、冷媒経路２４ｃによって、上記減圧器を介して連通される。蒸発器２３と圧縮機２１とは冷媒経路２４ｅによって連通される。冷媒は、熱交換回路２０内を矢印２５ａ、２５ｂ、２５ｃ、２５ｄ、２５ｅおよび２５ｆの方向に順次流れ、圧縮機２１と凝縮器２２と上記減圧器と蒸発器２３とに冷媒を循環させる。そして熱交換回路を循環する冷媒は、圧縮機２１において圧縮され、凝縮器２２において周囲に放熱し冷却され、上記減圧器において減圧され、蒸発器２３において周囲から吸熱し加熱される。
【００３１】
凝縮器２２は、複数の凝縮部、すなわち凝縮部２２ａと凝縮部２２ｂとを有する。凝縮部２２ａと凝縮部２２ｂとは、冷媒経路２４ｂによって連通される。冷媒は、矢印２５ｂに示すように、凝縮部２２ａ、凝縮部２２ｂの順に流れる。凝縮部２２ａと２２ｂのうちの一方が乾燥経路３０に配され、他方が再生経路４０に配されることができる。図１〜図３に示すように、先に冷媒が流れる凝縮部２２ａが乾燥経路３０に配されることにより、回転槽５へ流入する乾燥用空気の温度をより高めることができる。さらに、除湿ロータ５０の発熱や空気の循環による時間の経過に伴う乾燥経路３０の温度上昇により、乾燥経路３０の乾燥用空気が加熱されて凝縮部２２ａの温度低下が小さくなるため、凝縮部２２ｂの低温化による除湿ロータ５０の再生不良を防止できる。また蒸発器２３は、複数の蒸発部、すなわち蒸発部２３ａと蒸発部２３ｂとを有する。蒸発部２３ａと蒸発部２３ｂとは、冷媒経路２４ｄによって連通される。冷媒は、矢印２５ｄに示すように、蒸発部２３ａ、蒸発部２３ｂの順に流れる。蒸発部２３ａと２３ｂのうちの一方が乾燥経路３０に配され、他方が再生経路４０に配されることができる。図１〜図３に示すように、先に冷媒が流れる蒸発部２３ａが再生回路４０に配されることにより、再生用空気の除湿を十分行なうことができ、高湿の空気が機外に排出されることを防止できる。なお、冷媒としては、たとえば二酸化炭素、プロパンやイソブタンなどの炭化水素、アンモニアまたは水などを用いることができる。
【００３２】
図５は、図１に示す洗濯乾燥機の、乾燥経路および再生経路のブロック図である。上記説明と一部重複する部分もあるが、図５を用いて乾燥経路および再生経路の構成、ならびに、乾燥用空気および再生用空気の流れについて説明する。図５において、除湿ロータ５０は、乾燥経路３０と再生経路４０との双方に渡って配置される。凝縮器２２は、凝縮部２２ａと凝縮部２２ｂとを有し、先に冷媒が流れる凝縮部２２ａが乾燥経路３０に配され、凝縮部２２ｂが再生経路４０に配される。蒸発器２３は、蒸発部２３ａと蒸発部２３ｂとを有し、先に冷媒が流れる蒸発部２３ａが再生経路４０に配され、蒸発部２３ｂが乾燥経路３０に配される。凝縮器２２を一体とせず、凝縮部２２ａと凝縮部２２ｂとに分離し、それぞれを乾燥経路３０と再生経路４０に配することにより、乾燥経路３０と再生経路４０との間の熱漏洩を抑制することができる。また、蒸発器２３を一体とせず、蒸発部２３ａと蒸発部２３ｂとに分離し、それぞれを再生経路４０と乾燥経路３０に配することにより、乾燥経路３０と再生経路４０との間の熱漏洩を抑制することができる。
【００３３】
乾燥経路３０は、除湿ロータ５０と、凝縮部２２ａと、回転槽５と、蒸発部２３ｂとを連結して構成される。乾燥用空気は、矢印３５ｂに示すように、除湿ロータ５０から凝縮部２２ａへ向かって流れる。また矢印３５ｃに示すように、凝縮部２２ａから回転槽５へ向かって流れる。また矢印３５ｄに示すように、回転槽５から蒸発部２３ｂへ向かって流れる。また矢印３５ｆに示すように、蒸発部２３ｂと除湿ロータ５０とを連結する乾燥循環経路を介して、蒸発部２３ｂから除湿ロータ５０へ向かって流れる。そして、乾燥用空気は、除湿ロータ５０において、乾燥用空気が含む水分を除湿剤が吸着することによって除湿されるとともに、除湿剤の水分吸着に伴う発熱によって加熱される。次に乾燥用空気は、凝縮部２２ａにおいて、冷媒から吸熱してさらに加熱される。次に乾燥用空気は、回転槽５において、回転槽５の内部に投入された洗濯物を乾燥させ、洗濯物が含む水分を吸湿する。次に乾燥用空気は、蒸発部２３ｂにおいて、冷媒に吸熱されて冷却されることによって除湿される。その後乾燥用空気は、除湿ロータ５０において再度除湿されるとともに加熱される。このような乾燥用空気の流れによって、蒸発部２３ｂにおいて除湿された乾燥用空気は、除湿ロータ５０において乾燥用空気が含む水分を除湿剤が吸着することによって、さらに除湿されるので、より低湿な乾燥用空気で回転槽５内の洗濯物を乾燥できる。それとともに、除湿剤の水分吸着に伴う発熱および凝縮部２２ａにおける加熱により乾燥用空気の温度を高める。したがって、エネルギー効率よく乾燥用空気を加熱および除湿できるため、乾燥時間を短縮することができ、また乾燥効率を向上することができる。また、乾燥用空気を洗濯乾燥機外へ排出せず、乾燥経路内を循環させて乾燥運転を行なうため、洗濯乾燥機外の温度や湿度環境に大きな影響を与えることなく乾燥運転することができる。
【００３４】
再生経路４０は、凝縮部２２ｂと、除湿ロータ５０と、蒸発部２３ａとを連結して構成される。再生用空気は、矢印４５ａに示すように、機外から流入し、凝縮部２２ｂへ向かって流れる。また矢印４５ｂに示すように、凝縮部２２ｂから除湿ロータ５０へ向かって流れる。また矢印４５ｄに示すように、除湿ロータ５０から蒸発部２３ａへ向かって流れる。また矢印４５ｅに示すように、蒸発部２３ａから、機外へ排出される。そして、再生用空気は、凝縮部２２ｂにおいて、冷媒から吸熱して加熱される。次に再生用空気は、除湿ロータ５０において、除湿剤から水分を脱着させて除湿剤の水分吸着能力を再生させる。次に再生用空気は、蒸発部２３ａにおいて、冷媒に吸熱されて冷却されることによって除湿される。このような再生用空気の流れによって、凝縮部２２ｂにおいて加熱される再生用空気を利用して、除湿剤から水分を脱着させて除湿剤の水分吸着能力を再生させる。よって、エネルギー効率よく乾燥用空気を除湿できるため、乾燥時間を短縮することができ、また乾燥効率を向上することができる。また、除湿ロータ５０を通過し吸湿した再生用空気を、蒸発部２３ａにおいて冷却することによって、再生用空気を効率よく除湿することができる。
【００３５】
なお、この実施の形態１の洗濯乾燥機は、たとえば以下のような運転方法に従って運転することができる。すなわち、洗濯工程のうちの最終工程である脱水工程が終了するよりも前に、熱交換回路２０を安定状態とできるように、脱水工程中に予め圧縮機２１の運転を開始する。このとき、乾燥経路３０への送風および再生経路４０への送風の開始、すなわち乾燥用送風機３１および再生用送風機４１の起動は、ある程度脱水が進行した後に行なう。脱水工程中に圧縮機２１を運転開始することにより、安定状態に達するまでに時間を要する熱交換回路２０を予め安定状態とし、時間の無駄なく乾燥工程を迅速に開始することができる。また、脱水工程中に乾燥経路３０へ送風を開始することにより、洗濯物が含む水分を加熱することができ、水分の粘度を低下させ脱水可能な水分量を増加させることができる。また、脱水工程中に再生経路４０へ送風を開始することにより、予め除湿ロータ５０の除湿剤から水分を脱着させ、乾燥工程に要する時間を短縮することができる。
【００３６】
またたとえば、乾燥工程の開始当初においては、再生経路４０への送風は行なわずに、所定時間（たとえば１０分）経過後に除湿剤の水分吸着能力再生のために再生経路４０への送風を行なうことができる。また、所定時間経過毎（たとえば５分）に再生用送風機４１の起動停止を繰り返すことにより、再生経路４０への送風を間欠的に実施することができる。これにより、再生用送風機４１の消費電力を抑制し、省エネルギー効果を達成することができる。一方、乾燥経路３０への送風（すなわち乾燥用送風機３１の運転）は、乾燥工程中連続して行なうことができる。これにより、乾燥時間の短縮と乾燥効率の向上を達成することができる。
【００３７】
（実施の形態２）
図６は、この発明の実施の形態２の洗濯乾燥機の、再生経路側の縦断面模式図である。図７は、図６に示す洗濯乾燥機の、乾燥経路および再生経路の横断面模式図である。図８は、図６に示す洗濯乾燥機の、乾燥経路および再生経路のブロック図である。実施の形態２の洗濯乾燥機と、上述した実施の形態１の洗濯乾燥機とは、基本的に同様の構成を備えている。しかし、実施の形態２では、再生経路４０が図６、図７および図８に示すような構成となっている点で実施の形態１とは異なっている。
【００３８】
具体的には、図６において、水槽３の周面上方（図２の上側）に再生経路４０が備えられる。再生経路４０は、機外に連通せず、蒸発部２３ａと凝縮部２２ｂとを連結する再生循環経路を含む。そして、図７に示すように、蒸発部２３ａにおいて冷却され除湿された再生用空気は、矢印４５ｆに示すように、再生循環経路を介して凝縮部２２ｂへ送風される。そして再生用空気は、凝縮部２２ｂにおいて、再度冷媒から吸熱して加熱される。このような構成の再生経路４０によって、除湿ロータ５０へ再生用空気を循環供給することにより、除湿ロータ５０に含まれる除湿剤の水分吸着能力の再生をより効率よく行なうことができる。
【００３９】
図８を参照して、乾燥経路および再生経路の構成、ならびに、乾燥用空気および再生用空気の流れについて説明する。図８において、除湿ロータ５０は、乾燥経路３０と再生経路４０との双方に渡って配置される。凝縮器２２は、凝縮部２２ａと凝縮部２２ｂとを有し、先に冷媒が流れる凝縮部２２ａが乾燥経路３０に配され、凝縮部２２ｂが再生経路４０に配される。蒸発器２３は、蒸発部２３ａと蒸発部２３ｂとを有し、先に冷媒が流れる蒸発部２３ａが再生経路４０に配され、蒸発部２３ｂが乾燥経路３０に配される。
【００４０】
乾燥経路３０は、除湿ロータ５０と、凝縮部２２ａと、回転槽５と、蒸発部２３ｂとを連結して構成される。乾燥用空気は、矢印３５ｂに示すように、除湿ロータ５０から凝縮部２２ａへ向かって流れる。また矢印３５ｃに示すように、凝縮部２２ａから回転槽５へ向かって流れる。また矢印３５ｄに示すように、回転槽５から蒸発部２３ｂへ向かって流れる。また矢印３５ｆに示すように、蒸発部２３ｂと除湿ロータ５０とを連結する乾燥循環経路を介して、蒸発部２３ｂから除湿ロータ５０へ向かって流れる。そして、乾燥用空気は、除湿ロータ５０において、乾燥用空気が含む水分を除湿剤が吸着することによって除湿されるとともに、除湿剤の水分吸着に伴う発熱によって加熱される。次に乾燥用空気は、凝縮部２２ａにおいて、冷媒から吸熱してさらに加熱される。次に乾燥用空気は、回転槽５において、回転槽５の内部に投入された洗濯物を乾燥させ、洗濯物が含む水分を吸湿する。次に乾燥用空気は、蒸発部２３ｂにおいて、冷媒に吸熱されて冷却されることによって除湿される。その後乾燥用空気は、除湿ロータ５０において再度除湿されるとともに加熱される。
【００４１】
再生経路４０は、凝縮部２２ｂと、除湿ロータ５０と、蒸発部２３ａとを連結して構成される。再生用空気は、矢印４５ｂに示すように、凝縮部２２ｂから除湿ロータ５０へ向かって流れる。また矢印４５ｄに示すように、除湿ロータ５０から蒸発部２３ａへ向かって流れる。また矢印４５ｆに示すように、蒸発部２３ａと凝縮部２２ｂとを連結する再生循環経路を介して、蒸発部２３ａから凝縮部２２ｂへ向かって流れる。そして、再生用空気は、凝縮部２２ｂにおいて、冷媒から吸熱して加熱される。次に再生用空気は、除湿ロータ５０において、除湿剤から水分を脱着させて除湿剤の水分吸着能力を再生させる。次に再生用空気は、蒸発部２３ａにおいて、冷媒に吸熱されて冷却されることによって除湿される。その後再生用空気は、凝縮部２２ｂにおいて、再度冷媒から吸熱して加熱される。このような再生用空気の流れによって、除湿ロータ５０へ再生用空気を循環供給することにより、除湿ロータ５０に含まれる除湿剤の水分吸着能力の再生をより効率よく行なうことができる。また、乾燥用空気を洗濯乾燥機外へ排出せず乾燥経路３０内を循環させ、かつ再生用空気を洗濯乾燥機外へ排出せず再生経路４０内を循環させて、乾燥運転を行なうことにより、さらに洗濯乾燥機外の温度や湿度環境に大きな影響を与えることなく乾燥運転することができる。
【００４２】
（実施の形態３）
図９は、この発明の実施の形態３の洗濯乾燥機の、乾燥経路および再生経路のブロック図である。図９を参照して、乾燥経路および再生経路の構成、ならびに、乾燥用空気および再生用空気の流れについて説明する。図９において、除湿ロータ５０は、乾燥経路３０と再生経路４０との双方に渡って配置される。凝縮器２２は、乾燥経路３０と再生経路４０との双方に渡って配置される。
【００４３】
乾燥経路３０は、除湿ロータ５０と、凝縮器２２と、回転槽５と、蒸発器２３とを連結して構成される。乾燥用空気は、矢印３５ａに示すように、機外から流入し、除湿ロータ５０へ向かって流れる。また矢印３５ｂに示すように、除湿ロータ５０から凝縮器２２へ向かって流れる。また矢印３５ｃに示すように、凝縮器２２から回転槽５へ向かって流れる。また矢印３５ｄに示すように、回転槽５から蒸発器２３へ向かって流れる。また矢印３５ｅに示すように、蒸発器２３から、機外へ排出される。そして、乾燥用空気は、除湿ロータ５０において、乾燥用空気が含む水分を除湿剤が吸着することによって除湿されるとともに、除湿剤の水分吸着に伴う発熱によって加熱される。次に乾燥用空気は、凝縮器２２において、冷媒から吸熱してさらに加熱される。次に乾燥用空気は、回転槽５において、回転槽５の内部に投入された洗濯物を乾燥させ、洗濯物が含む水分を吸湿する。次に乾燥用空気は、蒸発器２３において、冷媒に吸熱されて冷却されることによって除湿される。
【００４４】
再生経路４０は、凝縮器２２と、除湿ロータ５０とを連結して構成される。再生用空気は、矢印４５ａに示すように、機外から流入し、凝縮器２２へ向かって流れる。また矢印４５ｂに示すように、凝縮器２２から除湿ロータ５０へ向かって流れる。また矢印４５ｃに示すように、除湿ロータ５０から、機外へ排出される。そして、再生用空気は、凝縮器２２において、冷媒から吸熱して加熱される。次に再生用空気は、除湿ロータ５０において、除湿剤から水分を脱着させて除湿剤の水分吸着能力を再生させる。
【００４５】
（実施の形態４）
図１０は、この発明の実施の形態４の洗濯乾燥機の、乾燥経路および再生経路のブロック図である。図１０を参照して、乾燥経路および再生経路の構成、ならびに、乾燥用空気および再生用空気の流れについて説明する。図１０において、除湿ロータ５０は、乾燥経路３０と再生経路４０との双方に渡って配置される。凝縮器２２は、凝縮部２２ａと凝縮部２２ｂとを有し、先に冷媒が流れる凝縮部２２ａが乾燥経路３０に配され、凝縮部２２ｂが再生経路４０に配される。
【００４６】
乾燥経路３０は、除湿ロータ５０と、凝縮部２２ａと、回転槽５と、蒸発器２３とを連結して構成される。乾燥用空気は、矢印３５ａに示すように、機外から流入し、除湿ロータ５０へ向かって流れる。また矢印３５ｂに示すように、除湿ロータ５０から凝縮部２２ａへ向かって流れる。また矢印３５ｃに示すように、凝縮部２２ａから回転槽５へ向かって流れる。また矢印３５ｄに示すように、回転槽５から蒸発器２３へ向かって流れる。また矢印３５ｅに示すように、蒸発器２３から、機外へ排出される。そして、乾燥用空気は、除湿ロータ５０において、乾燥用空気が含む水分を除湿剤が吸着することによって除湿されるとともに、除湿剤の水分吸着に伴う発熱によって加熱される。次に乾燥用空気は、凝縮部２２ａにおいて、冷媒から吸熱してさらに加熱される。次に乾燥用空気は、回転槽５において、回転槽５の内部に投入された洗濯物を乾燥させ、洗濯物が含む水分を吸湿する。次に乾燥用空気は、蒸発器２３において、冷媒に吸熱されて冷却されることによって除湿される。
【００４７】
再生経路４０は、凝縮部２２ｂと、除湿ロータ５０とを連結して構成される。再生用空気は、矢印４５ａに示すように、機外から流入し、凝縮部２２ｂへ向かって流れる。また矢印４５ｂに示すように、凝縮部２２ｂから除湿ロータ５０へ向かって流れる。また矢印４５ｃに示すように、除湿ロータ５０から、機外へ排出される。そして、再生用空気は、凝縮部２２ｂにおいて、冷媒から吸熱して加熱される。次に再生用空気は、除湿ロータ５０において、除湿剤から水分を脱着させて除湿剤の水分吸着能力を再生させる。
【００４８】
（実施の形態５）
図１１は、この発明の実施の形態５の洗濯乾燥機の、乾燥経路および再生経路のブロック図である。図１１を参照して、乾燥経路および再生経路の構成、ならびに、乾燥用空気および再生用空気の流れについて説明する。図１１において、除湿ロータ５０は、乾燥経路３０と再生経路４０との双方に渡って配置される。凝縮器２２は、乾燥経路３０と再生経路４０との双方に渡って配置される。蒸発器２３は、乾燥経路３０と再生経路４０との双方に渡って配置される。
【００４９】
乾燥経路３０は、除湿ロータ５０と、凝縮器２２と、回転槽５と、蒸発器２３とを連結して構成される。乾燥用空気は、矢印３５ａに示すように、機外から流入し、除湿ロータ５０へ向かって流れる。また矢印３５ｂに示すように、除湿ロータ５０から凝縮器２２へ向かって流れる。また矢印３５ｃに示すように、凝縮器２２から回転槽５へ向かって流れる。また矢印３５ｄに示すように、回転槽５から蒸発器２３へ向かって流れる。また矢印３５ｅに示すように、蒸発器２３から、機外へ排出される。そして、乾燥用空気は、除湿ロータ５０において、乾燥用空気が含む水分を除湿剤が吸着することによって除湿されるとともに、除湿剤の水分吸着に伴う発熱によって加熱される。次に乾燥用空気は、凝縮器２２において、冷媒から吸熱してさらに加熱される。次に乾燥用空気は、回転槽５において、回転槽５の内部に投入された洗濯物を乾燥させ、洗濯物が含む水分を吸湿する。次に乾燥用空気は、蒸発器２３において、冷媒に吸熱されて冷却されることによって除湿される。
【００５０】
再生経路４０は、凝縮器２２と、除湿ロータ５０と、蒸発器２３とを連結して構成される。再生用空気は、矢印４５ａに示すように、機外から流入し、凝縮器２２へ向かって流れる。また矢印４５ｂに示すように、凝縮器２２から除湿ロータ５０へ向かって流れる。また矢印４５ｄに示すように、除湿ロータ５０から蒸発器２３へ向かって流れる。また矢印４５ｅに示すように、蒸発器２３から、機外へ排出される。そして、再生用空気は、凝縮器２２において、冷媒から吸熱して加熱される。次に再生用空気は、除湿ロータ５０において、除湿剤から水分を脱着させて除湿剤の水分吸着能力を再生させる。次に再生用空気は、蒸発器２３において、冷媒に吸熱されて冷却されることによって除湿される。
【００５１】
（実施の形態６）
図１２は、この発明の実施の形態６の洗濯乾燥機の、乾燥経路および再生経路のブロック図である。図１２を参照して、乾燥経路および再生経路の構成、ならびに、乾燥用空気および再生用空気の流れについて説明する。図１２において、除湿ロータ５０は、乾燥経路３０と再生経路４０との双方に渡って配置される。凝縮器２２は、凝縮部２２ａと凝縮部２２ｂとを有し、先に冷媒が流れる凝縮部２２ａが乾燥経路３０に配され、凝縮部２２ｂが再生経路４０に配される。蒸発器２３は、乾燥経路３０と再生経路４０との双方に渡って配置される。
【００５２】
乾燥経路３０は、除湿ロータ５０と、凝縮部２２ａと、回転槽５と、蒸発器２３とを連結して構成される。乾燥用空気は、矢印３５ａに示すように、機外から流入し、除湿ロータ５０へ向かって流れる。また矢印３５ｂに示すように、除湿ロータ５０から凝縮部２２ａへ向かって流れる。また矢印３５ｃに示すように、凝縮部２２ａから回転槽５へ向かって流れる。また矢印３５ｄに示すように、回転槽５から蒸発器２３へ向かって流れる。また矢印３５ｅに示すように、蒸発器２３から、機外へ排出される。そして、乾燥用空気は、除湿ロータ５０において、乾燥用空気が含む水分を除湿剤が吸着することによって除湿されるとともに、除湿剤の水分吸着に伴う発熱によって加熱される。次に乾燥用空気は、凝縮部２２ａにおいて、冷媒から吸熱してさらに加熱される。次に乾燥用空気は、回転槽５において、回転槽５の内部に投入された洗濯物を乾燥させ、洗濯物が含む水分を吸湿する。次に乾燥用空気は、蒸発器２３において、冷媒に吸熱されて冷却されることによって除湿される。
【００５３】
再生経路４０は、凝縮部２２ｂと、除湿ロータ５０と、蒸発器２３とを連結して構成される。再生用空気は、矢印４５ａに示すように、機外から流入し、凝縮部２２ｂへ向かって流れる。また矢印４５ｂに示すように、凝縮部２２ｂから除湿ロータ５０へ向かって流れる。また矢印４５ｄに示すように、除湿ロータ５０から蒸発器２３へ向かって流れる。また矢印４５ｅに示すように、蒸発器２３から、機外へ排出される。そして、再生用空気は、凝縮部２２ｂにおいて、冷媒から吸熱して加熱される。次に再生用空気は、除湿ロータ５０において、除湿剤から水分を脱着させて除湿剤の水分吸着能力を再生させる。次に再生用空気は、蒸発器２３において、冷媒に吸熱されて冷却されることによって除湿される。
【００５４】
（実施の形態７）
図１３は、この発明の実施の形態７の洗濯乾燥機の、乾燥経路および再生経路のブロック図である。図１３を参照して、乾燥経路および再生経路の構成、ならびに、乾燥用空気および再生用空気の流れについて説明する。図１３において、除湿ロータ５０は、乾燥経路３０と再生経路４０との双方に渡って配置される。凝縮器２２は、乾燥経路３０と再生経路４０との双方に渡って配置される。蒸発器２３は、蒸発部２３ａと蒸発部２３ｂとを有し、先に冷媒が流れる蒸発部２３ａが再生経路４０に配され、蒸発部２３ｂが乾燥経路３０に配される。
【００５５】
乾燥経路３０は、除湿ロータ５０と、凝縮器２２と、回転槽５と、蒸発部２３ｂとを連結して構成される。乾燥用空気は、矢印３５ａに示すように、機外から流入し、除湿ロータ５０へ向かって流れる。また矢印３５ｂに示すように、除湿ロータ５０から凝縮器２２へ向かって流れる。また矢印３５ｃに示すように、凝縮器２２から回転槽５へ向かって流れる。また矢印３５ｄに示すように、回転槽５から蒸発部２３ｂへ向かって流れる。また矢印３５ｅに示すように、蒸発部２３ｂから、機外へ排出される。そして、乾燥用空気は、除湿ロータ５０において、乾燥用空気が含む水分を除湿剤が吸着することによって除湿されるとともに、除湿剤の水分吸着に伴う発熱によって加熱される。次に乾燥用空気は、凝縮器２２において、冷媒から吸熱してさらに加熱される。次に乾燥用空気は、回転槽５において、回転槽５の内部に投入された洗濯物を乾燥させ、洗濯物が含む水分を吸湿する。次に乾燥用空気は、蒸発部２３ｂにおいて、冷媒に吸熱されて冷却されることによって除湿される。
【００５６】
再生経路４０は、凝縮器２２と、除湿ロータ５０と、蒸発部２３ａとを連結して構成される。再生用空気は、矢印４５ａに示すように、機外から流入し、凝縮器２２へ向かって流れる。また矢印４５ｂに示すように、凝縮器２２から除湿ロータ５０へ向かって流れる。また矢印４５ｄに示すように、除湿ロータ５０から蒸発部２３ａへ向かって流れる。また矢印４５ｅに示すように、蒸発部２３ａから、機外へ排出される。そして、再生用空気は、凝縮器２２において、冷媒から吸熱して加熱される。次に再生用空気は、除湿ロータ５０において、除湿剤から水分を脱着させて除湿剤の水分吸着能力を再生させる。次に再生用空気は、蒸発部２３ａにおいて、冷媒に吸熱されて冷却されることによって除湿される。
【００５７】
（実施の形態８）
図１４は、この発明の実施の形態８の洗濯乾燥機の、乾燥経路および再生経路のブロック図である。図１４を参照して、乾燥経路および再生経路の構成、ならびに、乾燥用空気および再生用空気の流れについて説明する。図１４において、除湿ロータ５０は、乾燥経路３０と再生経路４０との双方に渡って配置される。凝縮器２２は、凝縮部２２ａと凝縮部２２ｂとを有し、先に冷媒が流れる凝縮部２２ａが乾燥経路３０に配され、凝縮部２２ｂが再生経路４０に配される。蒸発器２３は、蒸発部２３ａと蒸発部２３ｂとを有し、先に冷媒が流れる蒸発部２３ａが再生経路４０に配され、蒸発部２３ｂが乾燥経路３０に配される。
【００５８】
乾燥経路３０は、除湿ロータ５０と、凝縮部２２ａと、回転槽５と、蒸発部２３ｂとを連結して構成される。乾燥用空気は、矢印３５ａに示すように、機外から流入し、除湿ロータ５０へ向かって流れる。また矢印３５ｂに示すように、除湿ロータ５０から凝縮部２２ａへ向かって流れる。また矢印３５ｃに示すように、凝縮部２２ａから回転槽５へ向かって流れる。また矢印３５ｄに示すように、回転槽５から蒸発部２３ｂへ向かって流れる。また矢印３５ｅに示すように、蒸発部２３ｂから、機外へ排出される。そして、乾燥用空気は、除湿ロータ５０において、乾燥用空気が含む水分を除湿剤が吸着することによって除湿されるとともに、除湿剤の水分吸着に伴う発熱によって加熱される。次に乾燥用空気は、凝縮部２２ａにおいて、冷媒から吸熱してさらに加熱される。次に乾燥用空気は、回転槽５において、回転槽５の内部に投入された洗濯物を乾燥させ、洗濯物が含む水分を吸湿する。次に乾燥用空気は、蒸発部２３ｂにおいて、冷媒に吸熱されて冷却されることによって除湿される。
【００５９】
再生経路４０は、凝縮部２２ｂと、除湿ロータ５０と、蒸発部２３ａとを連結して構成される。再生用空気は、矢印４５ａに示すように、機外から流入し、凝縮部２２ｂへ向かって流れる。また矢印４５ｂに示すように、凝縮部２２ｂから除湿ロータ５０へ向かって流れる。また矢印４５ｄに示すように、除湿ロータ５０から蒸発部２３ａへ向かって流れる。また矢印４５ｅに示すように、蒸発部２３ａから、機外へ排出される。そして、再生用空気は、凝縮部２２ｂにおいて、冷媒から吸熱して加熱される。次に再生用空気は、除湿ロータ５０において、除湿剤から水分を脱着させて除湿剤の水分吸着能力を再生させる。次に再生用空気は、蒸発部２３ａにおいて、冷媒に吸熱されて冷却されることによって除湿される。
【００６０】
（実施の形態９）
図１５は、この発明の実施の形態９の洗濯乾燥機の、乾燥経路および再生経路のブロック図である。図１５を参照して、乾燥経路および再生経路の構成、ならびに、乾燥用空気および再生用空気の流れについて説明する。図１５において、除湿ロータ５０は、乾燥経路３０と再生経路４０との双方に渡って配置される。凝縮器２２は、乾燥経路３０と再生経路４０との双方に渡って配置される。
【００６１】
乾燥経路３０は、除湿ロータ５０と、凝縮器２２と、回転槽５と、蒸発器２３とを連結して構成される。乾燥用空気は、矢印３５ｂに示すように、除湿ロータ５０から凝縮器２２へ向かって流れる。また矢印３５ｃに示すように、凝縮器２２から回転槽５へ向かって流れる。また矢印３５ｄに示すように、回転槽５から蒸発器２３へ向かって流れる。また矢印３５ｆに示すように、蒸発器２３と除湿ロータ５０とを連結する乾燥循環経路を介して、蒸発器２３から除湿ロータ５０へ向かって流れる。そして、乾燥用空気は、除湿ロータ５０において、乾燥用空気が含む水分を除湿剤が吸着することによって除湿されるとともに、除湿剤の水分吸着に伴う発熱によって加熱される。次に乾燥用空気は、凝縮器２２において、冷媒から吸熱してさらに加熱される。次に乾燥用空気は、回転槽５において、回転槽５の内部に投入された洗濯物を乾燥させ、洗濯物が含む水分を吸湿する。次に乾燥用空気は、蒸発器２３において、冷媒に吸熱されて冷却されることによって除湿される。その後乾燥用空気は、除湿ロータ５０において再度除湿されるとともに加熱される。
【００６２】
再生経路４０は、凝縮器２２と、除湿ロータ５０とを連結して構成される。再生用空気は、矢印４５ａに示すように、機外から流入し、凝縮器２２へ向かって流れる。また矢印４５ｂに示すように、凝縮器２２から除湿ロータ５０へ向かって流れる。また矢印４５ｃに示すように、除湿ロータ５０から、機外へ排出される。そして、再生用空気は、凝縮器２２において、冷媒から吸熱して加熱される。次に再生用空気は、除湿ロータ５０において、除湿剤から水分を脱着させて除湿剤の水分吸着能力を再生させる。
【００６３】
（実施の形態１０）
図１６は、この発明の実施の形態１０の洗濯乾燥機の、乾燥経路および再生経路のブロック図である。図１６を参照して、乾燥経路および再生経路の構成、ならびに、乾燥用空気および再生用空気の流れについて説明する。図１６において、除湿ロータ５０は、乾燥経路３０と再生経路４０との双方に渡って配置される。凝縮器２２は、凝縮部２２ａと凝縮部２２ｂとを有し、先に冷媒が流れる凝縮部２２ａが乾燥経路３０に配され、凝縮部２２ｂが再生経路４０に配される。
【００６４】
乾燥経路３０は、除湿ロータ５０と、凝縮部２２ａと、回転槽５と、蒸発器２３とを連結して構成される。乾燥用空気は、矢印３５ｂに示すように、除湿ロータ５０から凝縮部２２ａへ向かって流れる。また矢印３５ｃに示すように、凝縮部２２ａから回転槽５へ向かって流れる。また矢印３５ｄに示すように、回転槽５から蒸発器２３へ向かって流れる。また矢印３５ｆに示すように、蒸発器２３と除湿ロータ５０とを連結する乾燥循環経路を介して、蒸発器２３から除湿ロータ５０へ向かって流れる。そして、乾燥用空気は、除湿ロータ５０において、乾燥用空気が含む水分を除湿剤が吸着することによって除湿されるとともに、除湿剤の水分吸着に伴う発熱によって加熱される。次に乾燥用空気は、凝縮部２２ａにおいて、冷媒から吸熱してさらに加熱される。次に乾燥用空気は、回転槽５において、回転槽５の内部に投入された洗濯物を乾燥させ、洗濯物が含む水分を吸湿する。次に乾燥用空気は、蒸発器２３において、冷媒に吸熱されて冷却されることによって除湿される。その後乾燥用空気は、除湿ロータ５０において再度除湿されるとともに加熱される。
【００６５】
再生経路４０は、凝縮部２２ｂと、除湿ロータ５０とを連結して構成される。再生用空気は、矢印４５ａに示すように、機外から流入し、凝縮部２２ｂへ向かって流れる。また矢印４５ｂに示すように、凝縮部２２ｂから除湿ロータ５０へ向かって流れる。また矢印４５ｃに示すように、除湿ロータ５０から、機外へ排出される。そして、再生用空気は、凝縮部２２ｂにおいて、冷媒から吸熱して加熱される。次に再生用空気は、除湿ロータ５０において、除湿剤から水分を脱着させて除湿剤の水分吸着能力を再生させる。
【００６６】
（実施の形態１１）
図１７は、この発明の実施の形態１１の洗濯乾燥機の、乾燥経路および再生経路のブロック図である。図１７を参照して、乾燥経路および再生経路の構成、ならびに、乾燥用空気および再生用空気の流れについて説明する。図１７において、除湿ロータ５０は、乾燥経路３０と再生経路４０との双方に渡って配置される。凝縮器２２は、乾燥経路３０と再生経路４０との双方に渡って配置される。蒸発器２３は、乾燥経路３０と再生経路４０との双方に渡って配置される。
【００６７】
乾燥経路３０は、除湿ロータ５０と、凝縮器２２と、回転槽５と、蒸発器２３とを連結して構成される。乾燥用空気は、矢印３５ｂに示すように、除湿ロータ５０から凝縮器２２へ向かって流れる。また矢印３５ｃに示すように、凝縮器２２から回転槽５へ向かって流れる。また矢印３５ｄに示すように、回転槽５から蒸発器２３へ向かって流れる。また矢印３５ｆに示すように、蒸発器２３と除湿ロータ５０とを連結する乾燥循環経路を介して、蒸発器２３から除湿ロータ５０へ向かって流れる。そして、乾燥用空気は、除湿ロータ５０において、乾燥用空気が含む水分を除湿剤が吸着することによって除湿されるとともに、除湿剤の水分吸着に伴う発熱によって加熱される。次に乾燥用空気は、凝縮器２２において、冷媒から吸熱してさらに加熱される。次に乾燥用空気は、回転槽５において、回転槽５の内部に投入された洗濯物を乾燥させ、洗濯物が含む水分を吸湿する。次に乾燥用空気は、蒸発器２３において、冷媒に吸熱されて冷却されることによって除湿される。その後乾燥用空気は、除湿ロータ５０において再度除湿されるとともに加熱される。
【００６８】
再生経路４０は、凝縮器２２と、除湿ロータ５０と、蒸発器２３とを連結して構成される。再生用空気は、矢印４５ａに示すように、機外から流入し、凝縮器２２へ向かって流れる。また矢印４５ｂに示すように、凝縮器２２から除湿ロータ５０へ向かって流れる。また矢印４５ｄに示すように、除湿ロータ５０から蒸発器２３へ向かって流れる。また矢印４５ｅに示すように、蒸発器２３から、機外へ排出される。そして、再生用空気は、凝縮器２２において、冷媒から吸熱して加熱される。次に再生用空気は、除湿ロータ５０において、除湿剤から水分を脱着させて除湿剤の水分吸着能力を再生させる。次に再生用空気は、蒸発器２３において、冷媒に吸熱されて冷却されることによって除湿される。
【００６９】
（実施の形態１２）
図１８は、この発明の実施の形態１２の洗濯乾燥機の、乾燥経路および再生経路のブロック図である。図１８を参照して、乾燥経路および再生経路の構成、ならびに、乾燥用空気および再生用空気の流れについて説明する。図１８において、除湿ロータ５０は、乾燥経路３０と再生経路４０との双方に渡って配置される。凝縮器２２は、凝縮部２２ａと凝縮部２２ｂとを有し、先に冷媒が流れる凝縮部２２ａが乾燥経路３０に配され、凝縮部２２ｂが再生経路４０に配される。蒸発器２３は、乾燥経路３０と再生経路４０との双方に渡って配置される。
【００７０】
乾燥経路３０は、除湿ロータ５０と、凝縮部２２ａと、回転槽５と、蒸発器２３とを連結して構成される。乾燥用空気は、矢印３５ｂに示すように、除湿ロータ５０から凝縮部２２ａへ向かって流れる。また矢印３５ｃに示すように、凝縮部２２ａから回転槽５へ向かって流れる。また矢印３５ｄに示すように、回転槽５から蒸発器２３へ向かって流れる。また矢印３５ｆに示すように、蒸発器２３と除湿ロータ５０とを連結する乾燥循環経路を介して、蒸発器２３から除湿ロータ５０へ向かって流れる。そして、乾燥用空気は、除湿ロータ５０において、乾燥用空気が含む水分を除湿剤が吸着することによって除湿されるとともに、除湿剤の水分吸着に伴う発熱によって加熱される。次に乾燥用空気は、凝縮部２２ａにおいて、冷媒から吸熱してさらに加熱される。次に乾燥用空気は、回転槽５において、回転槽５の内部に投入された洗濯物を乾燥させ、洗濯物が含む水分を吸湿する。次に乾燥用空気は、蒸発器２３において、冷媒に吸熱されて冷却されることによって除湿される。その後乾燥用空気は、除湿ロータ５０において再度除湿されるとともに加熱される。
【００７１】
再生経路４０は、凝縮部２２ｂと、除湿ロータ５０と、蒸発器２３とを連結して構成される。再生用空気は、矢印４５ａに示すように、機外から流入し、凝縮部２２ｂへ向かって流れる。また矢印４５ｂに示すように、凝縮部２２ｂから除湿ロータ５０へ向かって流れる。また矢印４５ｄに示すように、除湿ロータ５０から蒸発器２３へ向かって流れる。また矢印４５ｅに示すように、蒸発器２３から、機外へ排出される。そして、再生用空気は、凝縮部２２ｂにおいて、冷媒から吸熱して加熱される。次に再生用空気は、除湿ロータ５０において、除湿剤から水分を脱着させて除湿剤の水分吸着能力を再生させる。次に再生用空気は、蒸発器２３において、冷媒に吸熱されて冷却されることによって除湿される。
【００７２】
（実施の形態１３）
図１９は、この発明の実施の形態１３の洗濯乾燥機の、乾燥経路および再生経路のブロック図である。図１９を参照して、乾燥経路および再生経路の構成、ならびに、乾燥用空気および再生用空気の流れについて説明する。図１９において、除湿ロータ５０は、乾燥経路３０と再生経路４０との双方に渡って配置される。凝縮器２２は、乾燥経路３０と再生経路４０との双方に渡って配置される。蒸発器２３は、蒸発部２３ａと蒸発部２３ｂとを有し、先に冷媒が流れる蒸発部２３ａが再生経路４０に配され、蒸発部２３ｂが乾燥経路３０に配される。
【００７３】
乾燥経路３０は、除湿ロータ５０と、凝縮器２２と、回転槽５と、蒸発部２３ｂとを連結して構成される。乾燥用空気は、矢印３５ｂに示すように、除湿ロータ５０から凝縮器２２へ向かって流れる。また矢印３５ｃに示すように、凝縮器２２から回転槽５へ向かって流れる。また矢印３５ｄに示すように、回転槽５から蒸発部２３ｂへ向かって流れる。また矢印３５ｆに示すように、蒸発部２３ｂと除湿ロータ５０とを連結する乾燥循環経路を介して、蒸発部２３ｂから除湿ロータ５０へ向かって流れる。そして、乾燥用空気は、除湿ロータ５０において、乾燥用空気が含む水分を除湿剤が吸着することによって除湿されるとともに、除湿剤の水分吸着に伴う発熱によって加熱される。次に乾燥用空気は、凝縮器２２において、冷媒から吸熱してさらに加熱される。次に乾燥用空気は、回転槽５において、回転槽５の内部に投入された洗濯物を乾燥させ、洗濯物が含む水分を吸湿する。次に乾燥用空気は、蒸発部２３ｂにおいて、冷媒に吸熱されて冷却されることによって除湿される。その後乾燥用空気は、除湿ロータ５０において再度除湿されるとともに加熱される。
【００７４】
再生経路４０は、凝縮器２２と、除湿ロータ５０と、蒸発部２３ａとを連結して構成される。再生用空気は、矢印４５ａに示すように、機外から流入し、凝縮器２２へ向かって流れる。また矢印４５ｂに示すように、凝縮器２２から除湿ロータ５０へ向かって流れる。また矢印４５ｄに示すように、除湿ロータ５０から蒸発部２３ａへ向かって流れる。また矢印４５ｅに示すように、蒸発部２３ａから、機外へ排出される。そして、再生用空気は、凝縮器２２において、冷媒から吸熱して加熱される。次に再生用空気は、除湿ロータ５０において、除湿剤から水分を脱着させて除湿剤の水分吸着能力を再生させる。次に再生用空気は、蒸発部２３ａにおいて、冷媒に吸熱されて冷却されることによって除湿される。
【００７５】
（実施の形態１４）
図２０は、この発明の実施の形態１４の洗濯乾燥機の、乾燥経路および再生経路のブロック図である。図２０を参照して、乾燥経路および再生経路の構成、ならびに、乾燥用空気および再生用空気の流れについて説明する。図２０において、除湿ロータ５０は、乾燥経路３０と再生経路４０との双方に渡って配置される。凝縮器２２は、乾燥経路３０と再生経路４０との双方に渡って配置される。蒸発器２３は、乾燥経路３０と再生経路４０との双方に渡って配置される。
【００７６】
乾燥経路３０は、除湿ロータ５０と、凝縮器２２と、回転槽５と、蒸発器２３とを連結して構成される。乾燥用空気は、矢印３５ａに示すように、機外から流入し、除湿ロータ５０へ向かって流れる。また矢印３５ｂに示すように、除湿ロータ５０から凝縮器２２へ向かって流れる。また矢印３５ｃに示すように、凝縮器２２から回転槽５へ向かって流れる。また矢印３５ｄに示すように、回転槽５から蒸発器２３へ向かって流れる。また矢印３５ｅに示すように、蒸発器２３から、機外へ排出される。そして、乾燥用空気は、除湿ロータ５０において、乾燥用空気が含む水分を除湿剤が吸着することによって除湿されるとともに、除湿剤の水分吸着に伴う発熱によって加熱される。次に乾燥用空気は、凝縮器２２において、冷媒から吸熱してさらに加熱される。次に乾燥用空気は、回転槽５において、回転槽５の内部に投入された洗濯物を乾燥させ、洗濯物が含む水分を吸湿する。次に乾燥用空気は、蒸発器２３において、冷媒に吸熱されて冷却されることによって除湿される。
【００７７】
再生経路４０は、凝縮器２２と、除湿ロータ５０と、蒸発器２３とを連結して構成される。再生用空気は、矢印４５ｂに示すように、凝縮器２２から除湿ロータ５０へ向かって流れる。また矢印４５ｄに示すように、除湿ロータ５０から蒸発器２３へ向かって流れる。また矢印４５ｆに示すように、蒸発器２３と凝縮器２２とを連結する再生循環経路を介して、蒸発器２３から凝縮器２２へ向かって流れる。そして、再生用空気は、凝縮器２２において、冷媒から吸熱して加熱される。次に再生用空気は、除湿ロータ５０において、除湿剤から水分を脱着させて除湿剤の水分吸着能力を再生させる。次に再生用空気は、蒸発器２３において、冷媒に吸熱されて冷却されることによって除湿される。その後再生用空気は、凝縮器２２において、再度冷媒から吸熱して加熱される。
【００７８】
（実施の形態１５）
図２１は、この発明の実施の形態１５の洗濯乾燥機の、乾燥経路および再生経路のブロック図である。図２１を参照して、乾燥経路および再生経路の構成、ならびに、乾燥用空気および再生用空気の流れについて説明する。図２１において、除湿ロータ５０は、乾燥経路３０と再生経路４０との双方に渡って配置される。凝縮器２２は、凝縮部２２ａと凝縮部２２ｂとを有し、先に冷媒が流れる凝縮部２２ａが乾燥経路３０に配され、凝縮部２２ｂが再生経路４０に配される。蒸発器２３は、乾燥経路３０と再生経路４０との双方に渡って配置される。
【００７９】
乾燥経路３０は、除湿ロータ５０と、凝縮部２２ａと、回転槽５と、蒸発器２３とを連結して構成される。乾燥用空気は、矢印３５ａに示すように、機外から流入し、除湿ロータ５０へ向かって流れる。また矢印３５ｂに示すように、除湿ロータ５０から凝縮部２２ａへ向かって流れる。また矢印３５ｃに示すように、凝縮部２２ａから回転槽５へ向かって流れる。また矢印３５ｄに示すように、回転槽５から蒸発器２３へ向かって流れる。また矢印３５ｅに示すように、蒸発器２３から、機外へ排出される。そして、乾燥用空気は、除湿ロータ５０において、乾燥用空気が含む水分を除湿剤が吸着することによって除湿されるとともに、除湿剤の水分吸着に伴う発熱によって加熱される。次に乾燥用空気は、凝縮部２２ａにおいて、冷媒から吸熱してさらに加熱される。次に乾燥用空気は、回転槽５において、回転槽５の内部に投入された洗濯物を乾燥させ、洗濯物が含む水分を吸湿する。次に乾燥用空気は、蒸発器２３において、冷媒に吸熱されて冷却されることによって除湿される。
【００８０】
再生経路４０は、凝縮部２２ｂと、除湿ロータ５０と、蒸発器２３とを連結して構成される。再生用空気は、矢印４５ｂに示すように、凝縮部２２ｂから除湿ロータ５０へ向かって流れる。また矢印４５ｄに示すように、除湿ロータ５０から蒸発器２３へ向かって流れる。また矢印４５ｆに示すように、蒸発器２３と凝縮部２２ｂとを連結する再生循環経路を介して、蒸発器２３から凝縮部２２ｂへ向かって流れる。そして、再生用空気は、凝縮部２２ｂにおいて、冷媒から吸熱して加熱される。次に再生用空気は、除湿ロータ５０において、除湿剤から水分を脱着させて除湿剤の水分吸着能力を再生させる。次に再生用空気は、蒸発器２３において、冷媒に吸熱されて冷却されることによって除湿される。その後再生用空気は、凝縮部２２ｂにおいて、再度冷媒から吸熱して加熱される。
【００８１】
（実施の形態１６）
図２２は、この発明の実施の形態１６の洗濯乾燥機の、乾燥経路および再生経路のブロック図である。図２２を参照して、乾燥経路および再生経路の構成、ならびに、乾燥用空気および再生用空気の流れについて説明する。図２２において、除湿ロータ５０は、乾燥経路３０と再生経路４０との双方に渡って配置される。凝縮器２２は、乾燥経路３０と再生経路４０との双方に渡って配置される。蒸発器２３は、蒸発部２３ａと蒸発部２３ｂとを有し、先に冷媒が流れる蒸発部２３ａが再生経路４０に配され、蒸発部２３ｂが乾燥経路３０に配される。
【００８２】
乾燥経路３０は、除湿ロータ５０と、凝縮器２２と、回転槽５と、蒸発部２３ｂとを連結して構成される。乾燥用空気は、矢印３５ａに示すように、機外から流入し、除湿ロータ５０へ向かって流れる。また矢印３５ｂに示すように、除湿ロータ５０から凝縮器２２へ向かって流れる。また矢印３５ｃに示すように、凝縮器２２から回転槽５へ向かって流れる。また矢印３５ｄに示すように、回転槽５から蒸発部２３ｂへ向かって流れる。また矢印３５ｅに示すように、蒸発部２３ｂから、機外へ排出される。そして、乾燥用空気は、除湿ロータ５０において、乾燥用空気が含む水分を除湿剤が吸着することによって除湿されるとともに、除湿剤の水分吸着に伴う発熱によって加熱される。次に乾燥用空気は、凝縮器２２において、冷媒から吸熱してさらに加熱される。次に乾燥用空気は、回転槽５において、回転槽５の内部に投入された洗濯物を乾燥させ、洗濯物が含む水分を吸湿する。次に乾燥用空気は、蒸発部２３ｂにおいて、冷媒に吸熱されて冷却されることによって除湿される。
【００８３】
再生経路４０は、凝縮器２２と、除湿ロータ５０と、蒸発部２３ａとを連結して構成される。再生用空気は、矢印４５ｂに示すように、凝縮器２２から除湿ロータ５０へ向かって流れる。また矢印４５ｄに示すように、除湿ロータ５０から蒸発部２３ａへ向かって流れる。また矢印４５ｆに示すように、蒸発部２３ａと凝縮器２２とを連結する再生循環経路を介して、蒸発部２３ａから凝縮器２２へ向かって流れる。そして、再生用空気は、凝縮器２２において、冷媒から吸熱して加熱される。次に再生用空気は、除湿ロータ５０において、除湿剤から水分を脱着させて除湿剤の水分吸着能力を再生させる。次に再生用空気は、蒸発部２３ａにおいて、冷媒に吸熱されて冷却されることによって除湿される。その後再生用空気は、凝縮器２２において、再度冷媒から吸熱して加熱される。
【００８４】
（実施の形態１７）
図２３は、この発明の実施の形態１７の洗濯乾燥機の、乾燥経路および再生経路のブロック図である。図２３を参照して、乾燥経路および再生経路の構成、ならびに、乾燥用空気および再生用空気の流れについて説明する。図２３において、除湿ロータ５０は、乾燥経路３０と再生経路４０との双方に渡って配置される。凝縮器２２は、凝縮部２２ａと凝縮部２２ｂとを有し、先に冷媒が流れる凝縮部２２ａが乾燥経路３０に配され、凝縮部２２ｂが再生経路４０に配される。蒸発器２３は、蒸発部２３ａと蒸発部２３ｂとを有し、先に冷媒が流れる蒸発部２３ａが再生経路４０に配され、蒸発部２３ｂが乾燥経路３０に配される。
【００８５】
乾燥経路３０は、除湿ロータ５０と、凝縮部２２ａと、回転槽５と、蒸発部２３ｂとを連結して構成される。乾燥用空気は、矢印３５ａに示すように、機外から流入し、除湿ロータ５０へ向かって流れる。また矢印３５ｂに示すように、除湿ロータ５０から凝縮部２２ａへ向かって流れる。また矢印３５ｃに示すように、凝縮部２２ａから回転槽５へ向かって流れる。また矢印３５ｄに示すように、回転槽５から蒸発部２３ｂへ向かって流れる。また矢印３５ｅに示すように、蒸発部２３ｂから、機外へ排出される。そして、乾燥用空気は、除湿ロータ５０において、乾燥用空気が含む水分を除湿剤が吸着することによって除湿されるとともに、除湿剤の水分吸着に伴う発熱によって加熱される。次に乾燥用空気は、凝縮部２２ａにおいて、冷媒から吸熱してさらに加熱される。次に乾燥用空気は、回転槽５において、回転槽５の内部に投入された洗濯物を乾燥させ、洗濯物が含む水分を吸湿する。次に乾燥用空気は、蒸発部２３ｂにおいて、冷媒に吸熱されて冷却されることによって除湿される。
【００８６】
再生経路４０は、凝縮部２２ｂと、除湿ロータ５０と、蒸発部２３ａとを連結して構成される。再生用空気は、矢印４５ｂに示すように、凝縮部２２ｂから除湿ロータ５０へ向かって流れる。また矢印４５ｄに示すように、除湿ロータ５０から蒸発部２３ａへ向かって流れる。また矢印４５ｆに示すように、蒸発部２３ａと凝縮部２２ｂとを連結する再生循環経路を介して、蒸発部２３ａから凝縮部２２ｂへ向かって流れる。そして、再生用空気は、凝縮部２２ｂにおいて、冷媒から吸熱して加熱される。次に再生用空気は、除湿ロータ５０において、除湿剤から水分を脱着させて除湿剤の水分吸着能力を再生させる。次に再生用空気は、蒸発部２３ａにおいて、冷媒に吸熱されて冷却されることによって除湿される。その後再生用空気は、凝縮部２２ｂにおいて、再度冷媒から吸熱して加熱される。
【００８７】
（実施の形態１８）
図２４は、この発明の実施の形態１８の洗濯乾燥機の、乾燥経路および再生経路のブロック図である。図２４を参照して、乾燥経路および再生経路の構成、ならびに、乾燥用空気および再生用空気の流れについて説明する。図２４において、除湿ロータ５０は、乾燥経路３０と再生経路４０との双方に渡って配置される。凝縮器２２は、乾燥経路３０と再生経路４０との双方に渡って配置される。蒸発器２３は、乾燥経路３０と再生経路４０との双方に渡って配置される。
【００８８】
乾燥経路３０は、除湿ロータ５０と、凝縮器２２と、回転槽５と、蒸発器２３とを連結して構成される。乾燥用空気は、矢印３５ｂに示すように、除湿ロータ５０から凝縮器２２へ向かって流れる。また矢印３５ｃに示すように、凝縮器２２から回転槽５へ向かって流れる。また矢印３５ｄに示すように、回転槽５から蒸発器２３へ向かって流れる。また矢印３５ｆに示すように、蒸発器２３と除湿ロータ５０とを連結する乾燥循環経路を介して、蒸発器２３から除湿ロータ５０へ向かって流れる。そして、乾燥用空気は、除湿ロータ５０において、乾燥用空気が含む水分を除湿剤が吸着することによって除湿されるとともに、除湿剤の水分吸着に伴う発熱によって加熱される。次に乾燥用空気は、凝縮器２２において、冷媒から吸熱してさらに加熱される。次に乾燥用空気は、回転槽５において、回転槽５の内部に投入された洗濯物を乾燥させ、洗濯物が含む水分を吸湿する。次に乾燥用空気は、蒸発器２３において、冷媒に吸熱されて冷却されることによって除湿される。その後乾燥用空気は、除湿ロータ５０において再度除湿されるとともに加熱される。
【００８９】
再生経路４０は、凝縮器２２と、除湿ロータ５０と、蒸発器２３とを連結して構成される。再生用空気は、矢印４５ｂに示すように、凝縮器２２から除湿ロータ５０へ向かって流れる。また矢印４５ｄに示すように、除湿ロータ５０から蒸発器２３へ向かって流れる。また矢印４５ｆに示すように、蒸発器２３と凝縮器２２とを連結する再生循環経路を介して、蒸発器２３から凝縮器２２へ向かって流れる。そして、再生用空気は、凝縮器２２において、冷媒から吸熱して加熱される。次に再生用空気は、除湿ロータ５０において、除湿剤から水分を脱着させて除湿剤の水分吸着能力を再生させる。次に再生用空気は、蒸発器２３において、冷媒に吸熱されて冷却されることによって除湿される。その後再生用空気は、凝縮器２２において、再度冷媒から吸熱して加熱される。
【００９０】
（実施の形態１９）
図２５は、この発明の実施の形態１９の洗濯乾燥機の、乾燥経路および再生経路のブロック図である。図２５を参照して、乾燥経路および再生経路の構成、ならびに、乾燥用空気および再生用空気の流れについて説明する。図２５において、除湿ロータ５０は、乾燥経路３０と再生経路４０との双方に渡って配置される。凝縮器２２は、凝縮部２２ａと凝縮部２２ｂとを有し、先に冷媒が流れる凝縮部２２ａが乾燥経路３０に配され、凝縮部２２ｂが再生経路４０に配される。蒸発器２３は、乾燥経路３０と再生経路４０との双方に渡って配置される。
【００９１】
乾燥経路３０は、除湿ロータ５０と、凝縮部２２ａと、回転槽５と、蒸発器２３とを連結して構成される。乾燥用空気は、矢印３５ｂに示すように、除湿ロータ５０から凝縮部２２ａへ向かって流れる。また矢印３５ｃに示すように、凝縮部２２ａから回転槽５へ向かって流れる。また矢印３５ｄに示すように、回転槽５から蒸発器２３へ向かって流れる。また矢印３５ｆに示すように、蒸発器２３と除湿ロータ５０とを連結する乾燥循環経路を介して、蒸発器２３から除湿ロータ５０へ向かって流れる。そして、乾燥用空気は、除湿ロータ５０において、乾燥用空気が含む水分を除湿剤が吸着することによって除湿されるとともに、除湿剤の水分吸着に伴う発熱によって加熱される。次に乾燥用空気は、凝縮部２２ａにおいて、冷媒から吸熱してさらに加熱される。次に乾燥用空気は、回転槽５において、回転槽５の内部に投入された洗濯物を乾燥させ、洗濯物が含む水分を吸湿する。次に乾燥用空気は、蒸発器２３において、冷媒に吸熱されて冷却されることによって除湿される。その後乾燥用空気は、除湿ロータ５０において再度除湿されるとともに加熱される。
【００９２】
再生経路４０は、凝縮部２２ｂと、除湿ロータ５０と、蒸発器２３とを連結して構成される。再生用空気は、矢印４５ｂに示すように、凝縮部２２ｂから除湿ロータ５０へ向かって流れる。また矢印４５ｄに示すように、除湿ロータ５０から蒸発器２３へ向かって流れる。また矢印４５ｆに示すように、蒸発器２３と凝縮部２２ｂとを連結する再生循環経路を介して、蒸発器２３から凝縮部２２ｂへ向かって流れる。そして、再生用空気は、凝縮部２２ｂにおいて、冷媒から吸熱して加熱される。次に再生用空気は、除湿ロータ５０において、除湿剤から水分を脱着させて除湿剤の水分吸着能力を再生させる。次に再生用空気は、蒸発器２３において、冷媒に吸熱されて冷却されることによって除湿される。その後再生用空気は、凝縮部２２ｂにおいて、再度冷媒から吸熱して加熱される。
【００９３】
（実施の形態２０）
図２６は、この発明の実施の形態２０の洗濯乾燥機の、乾燥経路および再生経路のブロック図である。図２６を参照して、乾燥経路および再生経路の構成、ならびに、乾燥用空気および再生用空気の流れについて説明する。図２６において、除湿ロータ５０は、乾燥経路３０と再生経路４０との双方に渡って配置される。凝縮器２２は、乾燥経路３０と再生経路４０との双方に渡って配置される。蒸発器２３は、蒸発部２３ａと蒸発部２３ｂとを有し、先に冷媒が流れる蒸発部２３ａが再生経路４０に配され、蒸発部２３ｂが乾燥経路３０に配される。
【００９４】
乾燥経路３０は、除湿ロータ５０と、凝縮器２２と、回転槽５と、蒸発部２３ｂとを連結して構成される。乾燥用空気は、矢印３５ｂに示すように、除湿ロータ５０から凝縮器２２へ向かって流れる。また矢印３５ｃに示すように、凝縮器２２から回転槽５へ向かって流れる。また矢印３５ｄに示すように、回転槽５から蒸発部２３ｂへ向かって流れる。また矢印３５ｆに示すように、蒸発部２３ｂと除湿ロータ５０とを連結する乾燥循環経路を介して、蒸発部２３ｂから除湿ロータ５０へ向かって流れる。そして、乾燥用空気は、除湿ロータ５０において、乾燥用空気が含む水分を除湿剤が吸着することによって除湿されるとともに、除湿剤の水分吸着に伴う発熱によって加熱される。次に乾燥用空気は、凝縮器２２において、冷媒から吸熱してさらに加熱される。次に乾燥用空気は、回転槽５において、回転槽５の内部に投入された洗濯物を乾燥させ、洗濯物が含む水分を吸湿する。次に乾燥用空気は、蒸発部２３ｂにおいて、冷媒に吸熱されて冷却されることによって除湿される。その後乾燥用空気は、除湿ロータ５０において再度除湿されるとともに加熱される。
【００９５】
再生経路４０は、凝縮器２２と、除湿ロータ５０と、蒸発部２３ａとを連結して構成される。再生用空気は、矢印４５ｂに示すように、凝縮器２２から除湿ロータ５０へ向かって流れる。また矢印４５ｄに示すように、除湿ロータ５０から蒸発部２３ａへ向かって流れる。また矢印４５ｆに示すように、蒸発部２３ａと凝縮器２２とを連結する再生循環経路を介して、蒸発部２３ａから凝縮器２２へ向かって流れる。そして、再生用空気は、凝縮器２２において、冷媒から吸熱して加熱される。次に再生用空気は、除湿ロータ５０において、除湿剤から水分を脱着させて除湿剤の水分吸着能力を再生させる。次に再生用空気は、蒸発部２３ａにおいて、冷媒に吸熱されて冷却されることによって除湿される。その後再生用空気は、凝縮器２２において、再度冷媒から吸熱して加熱される。
【００９６】
これまでの説明においては、乾燥循環経路を含む乾燥経路３０は、回転槽５の内部へ乾燥用空気を循環供給すると説明したが、乾燥経路３０は乾燥用空気の持つ熱量を一部機外へ排出する放熱機構を有してもよい。たとえば、乾燥用空気の一部を機外へ排出する排気口が乾燥経路３０に形成されてもよく、乾燥経路３０内に乾燥用空気を空冷または水冷する機構が設けられてもよい。乾燥工程中に、凝縮器２２において乾燥用空気が冷媒から吸熱する熱量は、圧縮機２１の消費電力分だけ蒸発器２３において乾燥用空気が冷媒に吸熱される熱量よりも多くなる。よって、乾燥用空気が乾燥経路３０内を循環するにつれて乾燥用空気の持つ熱量が増加するとともに、熱交換回路２０内の冷媒の持つ熱量が増加し冷媒の圧力が高くなる。そのまま運転を続けると、圧縮機２１のモータ負荷が増大し過電流が流れて停止する可能性がある。そこで、乾燥用空気の持つ熱量の一部を機外へ排出することにより、熱交換回路２０における圧縮機２１の消費電力分の熱量蓄積による冷媒の圧力上昇を抑えることができ、安全で安定した熱交換回路２０の運転を実現できる。またたとえば、乾燥用空気または冷媒の状態（たとえば温度や圧力など）を検出するセンサを備え、センサの出力に基づいて乾燥用空気の持つ熱量を機外へ排出する量を制御してもよい。また、冷媒の持つ熱量を機外へ排出する量の制御や、上記センサの出力に基づくたとえば圧縮機２１の圧縮能力の制御などの熱交換回路２０の運転状態の制御によっても、安全で安定した熱交換回路２０の運転を実現できる。
【００９７】
また、回転槽５の回転により発生する振動の影響を受けにくくするため、熱交換回路２０、乾燥経路３０および再生経路４０は、少なくともその一部にたとえばフレキシブルチューブなどの可撓性または伸縮性を有する部材を用いることができる。また、家庭用の洗濯乾燥機においては外箱１の寸法に制限を受けるため、熱交換回路２０、乾燥経路３０および再生経路４０は、それらが有する全ての部材の寸法を最小限とした上で、たとえば外箱１の内部の背面側などの内壁部、外箱１の内側の背面と底面との角部または水槽３の下部などに配置されるのが好ましい。
【００９８】
また、乾燥工程中に扉２が開状態となる場合には、回転槽３への乾燥用空気の供給を停止させるため、熱交換回路２０を一時停止するように制御することができる。たとえば圧縮機２１を停止するように制御することができる。これにより、乾燥工程中において、安全に洗濯物の出し入れが可能となる。
【００９９】
今回開示された実施の形態はすべての点で例示であって制限的なものではないと考えられるべきである。本発明の範囲は上記した実施の形態ではなくて特許請求の範囲によって示され、特許請求の範囲と均等の意味および範囲内でのすべての変更が含まれることが意図される。
【図面の簡単な説明】
【０１００】
【図１】この発明の実施の形態１の洗濯乾燥機の、乾燥経路側の縦断面模式図である。
【図２】図１に示す洗濯乾燥機の、再生経路側の縦断面模式図である。
【図３】図１に示す洗濯乾燥機の、乾燥経路および再生経路の横断面模式図である。
【図４】図１に示す洗濯乾燥機の、熱交換回路のブロック図である。
【図５】図１に示す洗濯乾燥機の、乾燥経路および再生経路のブロック図である。
【図６】この発明の実施の形態２の洗濯乾燥機の、再生経路側の縦断面模式図である。
【図７】図６に示す洗濯乾燥機の、乾燥経路および再生経路の横断面模式図である。
【図８】図６に示す洗濯乾燥機の、乾燥経路および再生経路のブロック図である。
【図９】この発明の実施の形態３の洗濯乾燥機の、乾燥経路および再生経路のブロック図である。
【図１０】この発明の実施の形態４の洗濯乾燥機の、乾燥経路および再生経路のブロック図である。
【図１１】この発明の実施の形態５の洗濯乾燥機の、乾燥経路および再生経路のブロック図である。
【図１２】この発明の実施の形態６の洗濯乾燥機の、乾燥経路および再生経路のブロック図である。
【図１３】この発明の実施の形態７の洗濯乾燥機の、乾燥経路および再生経路のブロック図である。
【図１４】この発明の実施の形態８の洗濯乾燥機の、乾燥経路および再生経路のブロック図である。
【図１５】この発明の実施の形態９の洗濯乾燥機の、乾燥経路および再生経路のブロック図である。
【図１６】この発明の実施の形態１０の洗濯乾燥機の、乾燥経路および再生経路のブロック図である。
【図１７】この発明の実施の形態１１の洗濯乾燥機の、乾燥経路および再生経路のブロック図である。
【図１８】この発明の実施の形態１２の洗濯乾燥機の、乾燥経路および再生経路のブロック図である。
【図１９】この発明の実施の形態１３の洗濯乾燥機の、乾燥経路および再生経路のブロック図である。
【図２０】この発明の実施の形態１４の洗濯乾燥機の、乾燥経路および再生経路のブロック図である。
【図２１】この発明の実施の形態１５の洗濯乾燥機の、乾燥経路および再生経路のブロック図である。
【図２２】この発明の実施の形態１６の洗濯乾燥機の、乾燥経路および再生経路のブロック図である。
【図２３】この発明の実施の形態１７の洗濯乾燥機の、乾燥経路および再生経路のブロック図である。
【図２４】この発明の実施の形態１８の洗濯乾燥機の、乾燥経路および再生経路のブロック図である。
【図２５】この発明の実施の形態１９の洗濯乾燥機の、乾燥経路および再生経路のブロック図である。
【図２６】この発明の実施の形態２０の洗濯乾燥機の、乾燥経路および再生経路のブロック図である。
【符号の説明】
【０１０１】
１  外箱、１ａ  外箱開口部、２  扉、３  水槽、３ａ  水槽開口部、４  ドアパッキン、５  回転槽、５ａ  回転槽開口部、５ｂ  回転軸、６  電動機、７  液体バランサー、８  排水パイプ、９  排水フィルタ、１０  排水ホース、１１  排水弁、１２  導圧管、１３  水位センサ、２０  熱交換回路、２１  圧縮機、２２  凝縮器、２２ａ，２２ｂ  凝縮部、２３  蒸発器、２３ａ，２３ｂ  蒸発部、２４ａ，２４ｂ，２４ｃ，２４ｄ，２４ｅ  冷媒経路、２５ａ，２５ｂ，２５ｃ，２５ｄ，２５ｅ，２５ｆ  冷媒の流れ、３０  乾燥経路、３１  乾燥用送風機、３２  乾燥用空気入口、３３  乾燥用空気出口、３５ａ，３５ｂ，３５ｃ，３５ｄ，３５ｅ，３５ｆ  乾燥用空気の流れ、４０  再生経路、４１  再生用送風機、４２  再生用空気取入口、４３  再生用空気出口、４４  空気フィルタ、４５ａ，４５ｂ，４５ｃ，４５ｄ，４５ｅ，４５ｆ  再生用空気の流れ、５０  除湿ロータ。
【図１】
2008035958.tif 000003
【図２】
2008035958.tif 000004
【図３】
2008035958.tif 000005
【図４】
2008035958.tif 000006
【図５】
2008035958.tif 000007
【図６】
2008035958.tif 000008
【図７】
2008035958.tif 000009
【図８】
2008035958.tif 000010
【図９】
2008035958.tif 000011
【図１０】
2008035958.tif 000012
【図１１】
2008035958.tif 000013
【図１２】
2008035958.tif 000014
【図１３】
2008035958.tif 000015
【図１４】
2008035958.tif 000016
【図１５】
2008035958.tif 000017
【図１６】
2008035958.tif 000018
【図１７】
2008035958.tif 000019
【図１８】
2008035958.tif 000020
【図１９】
2008035958.tif 000021
【図２０】
2008035958.tif 000022
【図２１】
2008035958.tif 000023
【図２２】
2008035958.tif 000024
【図２３】
2008035958.tif 000025
【図２４】
2008035958.tif 000026
【図２５】
2008035958.tif 000027
【図２６】
2008035958.tif 000028